(57)【要約】      （修正有）【課題】人体工学に符合し頸椎を安定させ選択的に按摩機能を具備させられる頸椎安定按摩枕の提供。【解決手段】枕本体１０の上面の二側に高い突出部１０１と低い突出部１０２が設けられ、該上面に複数の凹溝１１が設けられ少なくとも一側に収容溝１２が設けられ、該収容溝に挿入棒２０が設けられ、該挿入棒が多段式連結構造とされて数段の軟部２１と硬部２２が設置され、棒体表面に頸椎形状に符合する凸部２３、凹溝２３１が設けられ、枕本体が頭部、頸部の大きさの異なる使用者の使用に供されて頸椎支持が高過ぎる或いは低過ぎることによる傷害を防止し、挿入棒の軟部は人体頭部を枕本体の上に置く時、凸部と凹溝が頸椎の重量比により変形すると共に頸椎を安定して且つ柔軟に支持し、並びに軟部の側方の硬部により頸椎に対する按摩機能を提供し、挿入棒はスリットを利用して必要に応じて簡単に枕に着脱できる。【選択図】図２
0003102917.tif 000002
【実用新案登録請求の範囲】
【請求項１】
少なくとも一側に収容溝が設けられ、表面に収容溝と接続されたスリットが形成された枕本体と、
該収容溝中に収容され、多段式連結構造とされて複数段の軟部、硬部が設置され、表面に複数の凹溝が設けられて複数の凸部が形成され、凸部の大きさと凹溝の深さが人体頸椎重量比により異なる状態を呈することにより圧力を受けて変形する時に頸椎造形に符合する挿入棒と、
を具え、挿入棒の軟部が人体頭部が枕本体に置かれる時に、その凸部と凹溝が頸椎の重量により変形して頸椎形状に符合する支持構造を形成すると共に柔軟に頸椎を支持し並びに軟部の側方の硬部の凸部により頸椎を按摩し、挿入棒がスリットを利用して枕本体に出し入れしやすく、必要に応じて按摩機能を具備させることができることを特徴とする、頸椎安定按摩枕。
【請求項２】
請求項１記載の頸椎安定按摩枕において、挿入棒の軟部、硬部が異なる色に形成され、色による区別に供され、挿入棒の内部に穿孔が設けられ、挿入棒の凸部に磁石が設置され、挿入棒の凸部が各種形状に形成されたことを特徴とする、頸椎安定按摩枕。
【請求項３】
請求項１記載の頸椎安定按摩枕において、枕本体に香料及び防火材料が添加されたことを特徴とする、頸椎安定按摩枕。
【請求項４】
請求項１記載の頸椎安定按摩枕において、挿入棒に組合せ式の結合構造が形成され、分解及び組合せが自在に行なえることを特徴とする、頸椎安定按摩枕。
【請求項５】
請求項１記載の頸椎安定按摩枕において、挿入棒がスポンジ或いはプラスチック材料或いはその他の材料で形成されるか或いは分段式に異なる材料で形成されたことを特徴とする、頸椎安定按摩枕。
【請求項６】
請求項１記載の頸椎安定按摩枕において、枕本体の表面の二側に高い突出部と低い突出部と、高い突出部と低い突出部の間を連接する凹部が設けられ、高い突出部と低い突出部及び凹部に複数の凹溝が設けられたことを特徴とする、頸椎安定按摩枕。
【考案の詳細な説明】
【技術分野】
【０００１】
本考案は人体工学に符合する頸椎安定按摩枕に係り、特に、頸椎造形に符合する挿入棒が枕本体中に収容され、枕本体に広げやすいスリットが設けられて挿入棒の出し入れが容易とされ、該挿入棒が多段式の軟部と硬部からなる構造を具えて表面に按摩凸部と凹溝が設けられ、人体頭部を枕本体の上に置く時、挿入棒の凸部と凹溝が頸椎の重量比により変形すると共に頸椎を安定して支持すると共に軟部の側方の硬部により頸椎に按摩を行ない、且つ使用者の必要に応じて按摩機能を具備させることができる、頸椎安定按摩枕に関する。
【背景技術】
【０００２】
人生の三分の１の時間（一日８時間の睡眠をとるとして）は枕と共にあり、良好な枕の構造は睡眠の質を高める。ゆえに人体工学に符合する枕を選択することはかなり重要であり、枕全体が軟質（図１２参照）であると、人体頭部を置く時、枕は人体の頸椎を支持できず、頸椎の変形を形成し且つ按摩の機能もない。現在、枕に関する特許は多くあるが、それらは機能上、未だ理想的なものとは言えない。周知の枕に関する特許は以下のように分析される。
１．特許文献１に記載のものは、枕内に設けられた弾性体に中空部分が設けられて通気を促進するが、枕外形は人体工学に符合せず、且つ弾性体は柔らか過ぎて人体の頸椎を支持並びに按摩することができない。このほか、枕に使用者の必要に応じて按摩機能を具備させることはできない。
２．特許文献２に記載のものは、枕の表面が人体頭頸部に符合する造形とされ、且つ枕に通気用の溝が設けられ枕底面に弾性変形用の凹溝が設けられている。しかし枕全体は頭部が仰向けに置かれる時の快適性を考慮し、全体が柔軟なスポンジで形成されている。しかし枕全体をスポンジで形成すると柔らか過ぎて人体の頸椎を支持及び按摩することができない。このほか、枕に使用者の必要に応じて按摩機能を具備させることはできない。
３．特許文献３に記載のものは、枕の表面が人体頭頸部に符合する造形とされ、枕内に発泡体が装填されているが、枕は頭部仰臥時の快適性を考慮し、全体に柔軟なスポンジが採用され、柔らか過ぎて人体の頸椎を支持及び按摩することができない。このほか、枕に使用者の必要に応じて按摩機能を具備させることはできない。
４．特許文献４に記載のものは、外部が主枕とされ、主枕内にスポンジで形成された支持枕が設けられ、支持枕全体に柔軟なスポンジが採用され、枕が柔らか過ぎ人体の頸椎を支持及び按摩できず、このほか、枕に使用者の必要に応じて按摩機能を具備させることはできない。
【０００３】
このほか、現在、支持効果を具え頸椎変形を防止できる圧力釈放枕が提供されており、それは表面に単調な円弧設計が設けられて人体の頭部、頸部に密着し、支持の効果を達成するものとされる。しかし、このような枕に設けられる円弧の大きさ及び高さは固定されて不変であり、且つ圧力釈放用の凹溝がなく、このため頭部が軽く、頸椎が細い（例えば女性や痩せた人）人が使用する時は、支持円弧の変形が比較的少なく、頸椎部分の受ける支持が高過ぎて頭部がのけぞる姿勢となりやすい。頭部が重く頸椎が太い（男性や太った人）人が使用する時、支持円弧の変形は大きくなり、頸椎部の支持が低くなり過ぎ、頭部が前向きとなり、喉が内向きに圧迫される傾向となり、頸椎神経が圧迫される。頭部ののけぞり或いは前傾のいずれも使用者に不快感をもたらす。このため圧力釈放枕との名付けられていても人体工学上、人体の頭部、頸部に符合せず、誰にでも適合するわけではなく、ゆえに圧力釈放の効果を具備しない。
【０００４】
【特許文献１】台湾特許公告第３５３３４６号明細書
【特許文献２】台湾特許公告第４７９４９４号明細書
【特許文献３】台湾特許公告第４６２２６８号明細書
【特許文献４】台湾特許公告第４８０９７９号明細書
【考案の開示】
【考案が解決しようとする課題】
【０００５】
本考案の主要な目的は、人体工学に符合する一種の頸椎安定按摩枕を提供することにあり、それは、枕本体の上面の二側に高い突出部と低い突出部が設けられ、該上面に複数の凹溝が設けられ少なくとも一側に収容溝が設けられ、該収容溝に挿入棒が設けられ、該挿入棒が多段式連結構造とされて数段の軟部と硬部が設置され、棒体表面に頸椎形状に符合する凸部、凹溝が設けられ、挿入棒の軟部は人体頭部を枕本体の上に置く時、凸部と凹溝が頸椎の重量比により変形すると共に頸椎を安定して且つ柔軟に支持し、並びに軟部の側方の硬部により頸椎に対する按摩機能を提供するものとする。
【０００６】
本考案のもう一つの目的は、一種の頸椎安定按摩枕を提供することにあり、それは使用者が個人の必要に応じて按摩機能を具備させることができ、構造上は、枕本体の表面に収容溝と接続されたスリットが設けられ、按摩用の凸部を具えた挿入棒を該スリットを利用して簡単に枕に取り付け、或いは取り外し可能で、使用者が選択的に按摩機能を具備させるのに便利であるものとする。
【０００７】
本考案のさらにもう一つの目的は、一種の頸椎安定按摩枕を提供することにあり、それは人により異なる頭部、頸部の快適な圧力釈放曲線に対応し、その構造上は、枕本体の上面二側に高い突出部と低い突出部が設けられ、枕本体表面に複数の凹溝が設けられたものとする。
【課題を解決するための手段】
【０００８】
請求項１の考案は、少なくとも一側に収容溝が設けられ、表面に収容溝と接続されたスリットが形成された枕本体と、
該収容溝中に収容され、多段式連結構造とされて複数段の軟部、硬部が設置され、表面に複数の凹溝が設けられて複数の凸部が形成され、凸部の大きさと凹溝の深さが人体頸椎重量比により異なる状態を呈することにより圧力を受けて変形する時に頸椎造形に符合する挿入棒と、
を具え、挿入棒の軟部が人体頭部が枕本体に置かれる時に、その凸部と凹溝が頸椎の重量により変形して頸椎形状に符合する支持構造を形成すると共に柔軟に頸椎を支持し並びに軟部の側方の硬部の凸部により頸椎を按摩し、挿入棒がスリットを利用して枕本体に出し入れしやすく、必要に応じて按摩機能を具備させることができることを特徴とする、頸椎安定按摩枕としている。
請求項２の考案は、請求項１記載の頸椎安定按摩枕において、挿入棒の軟部、硬部が異なる色に形成され、色による区別に供され、挿入棒の内部に穿孔が設けられ、挿入棒の凸部に磁石が設置され、挿入棒の凸部が各種形状に形成されたことを特徴とする、頸椎安定按摩枕としている。
請求項３の考案は、請求項１記載の頸椎安定按摩枕において、枕本体に香料及び防火材料が添加されたことを特徴とする、頸椎安定按摩枕としている。
請求項４の考案は、請求項１記載の頸椎安定按摩枕において、挿入棒に組合せ式の結合構造が形成され、分解及び組合せが自在に行なえることを特徴とする、頸椎安定按摩枕としている。
請求項５の考案は、請求項１記載の頸椎安定按摩枕において、挿入棒がスポンジ或いはプラスチック材料或いはその他の材料で形成されるか或いは分段式に異なる材料で形成されたことを特徴とする、頸椎安定按摩枕としている。
請求項６の考案は、請求項１記載の頸椎安定按摩枕において、枕本体の表面の二側に高い突出部と低い突出部と、高い突出部と低い突出部の間を連接する凹部が設けられ、高い突出部と低い突出部及び凹部に複数の凹溝が設けられたことを特徴とする、頸椎安定按摩枕としている。
【考案の効果】
【０００９】
本考案は、枕本体中に、出し入れに便利な挿入棒が設けられ、且つ挿入棒は表面に按摩用の凸部、凹溝が設けられて多段式に軟部と硬部が交錯する構造とされ、人体頭部を枕に置く時、凸部、凹溝が頸椎の重量比により適宜変形して頸椎形状に符合する支持構造を形成すると共に柔軟に頸椎を支持し並びに頸椎に按摩の作用を提供し、且つ使用者は個人の必要に応じて按摩機能を有する枕形態を選択できる。このほか、全体として香り及び防火の機能を具備するものとなし得る。ゆえに本考案は従来の枕の欠点を改善し、独自の特殊な機能を具備し、ゆえに実用新案登録の要件を具備している。
【考案を実施するための最良の形態】
【００１０】
図１、２に示されるように、本考案は、枕本体１０と挿入棒２０を具えている。該枕本体１０は、スポンジ、天然エマルジョン樹脂等で形成され、製造時に材料中に香料（ジャスミン、バラ等）を添加して香りの効果を具備するものとされうる。全体の外部はさらに枕カバーで被覆可能である。表面には頸部に符合する円弧が設けられ、該円弧は三つの部分に分けられ、それは枕本体１０の上面の二側に設けられた高い突出部１０１と低い突出部１０２、及び高い突出部１０１と低い突出部１０２の間を連接する凹部１０３である。そのうち、高い突出部１０１は頸椎が太い（男性或いは太った人）使用者が仰臥するのに供され、低い突出部１０２は頸椎の細い（女性或いは痩せた人）使用者の仰臥に適合する。凹部１０３は頭蓋骨部分を置くのに供される。高い突出部１０１、低い突出部１０２及び凹部１０３に圧力釈放用の複数の凹溝１１が設けられ、これにより異なる人の頸椎部を効果的に支持及び保護することができる。枕本体１０の少なくとも一側に収容溝１２が設けられ（本実施例では枕本体１０の二側に収容溝１２が設けられている）、枕本体１０の表面に収容溝１２と接続されたスリット１３が設けられ、枕本体１０はスポンジ、天然エマルジョン樹脂で形成されているため、スリット１３を手部で押し開いて（図３参照）、簡単に挿入棒２０を組み付けることができる。
【００１１】
挿入棒２０は、スポンジ或いはプラスチック材料或いはその他の材料で形成され（本実施例の挿入棒２０はスポンジで形成されている）るか、或いは、異なる材料を使用した多段式設計とされて、複数段の軟部２１と硬部２２で構成され、軟部２１、硬部２２は不規状に配列されるか或いは交錯するよう設置され（本実施例は五段式とされ、挿入棒２０中央に軟部２１が設けられ、中央の軟部２１の二側が硬部２２とされている）、複数段式の軟部２１、硬部２２の端面は接着剤で接合されるか、或いはその他の組合せ式の結合構造が利用され、挿入棒２０を分解して任意に軟部２１と硬部２２を組合せ可能でとされる。軟部２１、硬部２２は色により区別することが可能で、挿入棒２０内に穿孔２０１が設けられ、挿入棒２０が通気性を具えると共に変形可能とされ、挿入棒２０表面に人体工学に符合する凸部２３と凸部２３間の凹溝２３１が形成されている。本考案の凸部２３の大きさ、凹部２３１の深さは人体の頸椎重量比により異なった状態をなし、すなわち、支持重量が大きいほど凸部２３の寸法は大きく、凹溝２３１の深さは深くなり、受圧変形時に人体頸椎形状に符合するものとされる。
【００１２】
その凸部２３、凹溝２３１の設計原理は材料力学中の応力公式（σ＝Ｐ／Ａ，そのうちσは応力，Ｐは圧力，Ａは面積）を運用し、単位面積が異なり受ける圧力が不変である時、その受ける応力もまた異なり、ゆえに支持する力が大きい凸部２３の寸法は大きく設計されて有効に圧力を分散し、挿入棒２０の受ける力が大きいところほどその変形度が大きいため、凹溝２３１は受ける力が大きい部分ほど深さが深く設計され、これにより適当な変形空間を具備するものとされる。このほか、材料力学の原理により、使用する材料の硬さが異なればその弾性係数も異なり、その受ける圧力が異なると、形成される応力もまた異なり、材料が硬くなるほど、大きな圧力を受けることができる。ゆえに、本考案の挿入棒２０は多段式に異なる材料を用いて形成され、異なる頸椎支持効果を形成する。
【００１３】
図３、４、５に示されるように、本考案の挿入棒２０は手部を用いて枕本体１０のスリット１３を開いて簡単に枕本体１０に挿入でき、使用者が個人の必要により選択的に按摩機能を具えた枕形態となすことができ、当然、挿入棒２０を簡単に取り出すこともできる。
【００１４】
図６、７を共に参照されたい。本考案の枕本体１０に挿入棒２０を挿入し、人体頭部を置く時（図中の仮想線に示されるのは頸椎である）、人体頭部は高い突出部１０１の上に置かれ、平台１０１中に設けられた挿入棒２０の中央の軟部２１の凸部２３、凹溝２３１が頸椎の重量比により変形し、人体の頸椎形状に符合する支持構造を形成し、柔軟に頸椎を支持し、中央の軟部２１の二側は硬部２２とされ、ゆえに、軟部２１の陥没に対する牽制力を有し、ゆえに軟部２１は完全に陥没せず、人体の頭部が寝返りを打つ時、中央の軟部２１の二側の硬部２２の凸部２３が内向きに傾斜し、頸椎に対して按摩の作用を形成する。
【００１５】
枕本体１０の高い突出部１０１は頭部が重く、頸椎が太い男性或いは太った使用者の使用に供され（図７は使用者の頸椎が高い突出部１０１に置かれた状態を示す）、頭部が軽く、頸椎の細い女性或いは痩せた使用者は低い突出部１０２に頸椎を置く。凹部１０３は頭蓋骨部分を置くのに供され、頸椎を置く時、凹溝１１は通風と変形による圧力釈放の作用を提供する（高い突出部１０１の円弧は変形するが周知の枕のように完全には陥没しない）、それは高い突出部１０１の円弧に組み合わされ、頭部、頸部の形状、重量に対応して変形し快適な圧力釈放を形成し、頸椎の支持高度が低過ぎることによる頸椎の損傷を防止する。
【００１６】
図８に示されるように、使用者が軟性枕を使用する必要がある時は、枕本体１０中より挿入棒２０を取り出せば、一般の軟性枕として使用でき、収容溝１２が通気及び通風機能を提供する。
【００１７】
図９に示されるように、使用者が横向きに寝る時、人体の頸椎を挿入棒２０の硬部２２に置く時、硬部２２が頸椎を支持し、頸椎の変形を防止できる。
【００１８】
図１０に示されるように、本考案の挿入棒２０に設けられた凸部２３には磁石２４を設置可能で、これにより枕本体１０が磁気按摩の機能を具備する。
【００１９】
図１１に示されるように、本考案の挿入棒２０に設けられる凸部２３はその他の各種の形状に形成可能である。
【００２０】
このほか、本考案の枕本体１０は製造時に香料及び防火材料を添加可能で、これにより防火、香りの機能を具備するものとされる。
【図面の簡単な説明】
【００２１】
【図１】本考案の斜視図である。
【図２】本考案の分解斜視図である。
【図３】本考案の挿入棒を枕本体より取り出した斜視図及び分解図である。
【図４】本考案のＡ−Ａ部分の組合せ断面図である。
【図５】本考案のＢ−Ｂ部分の組合せ断面図である。
【図６】本考案の枕本体に人体頭部を置いた時の内部断面状態表示図である。
【図７】本考案の枕本体の高い突出部に人体頭部を置いた時の内部断面状態表示図である。
【図８】本考案の枕本体に挿入棒を取り付けない使用状態表示図である。
【図９】本考案の人体頭部を横向きに置いた時の枕本体と頸椎の状態表示図である。
【図１０】本考案の挿入棒のもう一つの構造実施例表示図である。
【図１１】本考案の挿入棒のさらにもう一つの構造実施例表示図である。
【図１２】周知の枕に人体頭部を置いた時の頸椎変形状態表示図である。
【符号の説明】
【００２２】
１０  枕本体                            １０１  高い突出部
１０２  低い突出部                      １０３  凹部
１１  凹溝                              １２  収容溝
１３  スリット                          ２０  挿入棒
２０１  穿孔                            ２１  軟部
２２  硬部                              ２３  凸部
２３１  凹溝                            ２４  磁石
【図１】
0003102917.tif 000003
【図２】
0003102917.tif 000004
【図３】
0003102917.tif 000005
【図４】
0003102917.tif 000006
【図５】
0003102917.tif 000007
【図６】
0003102917.tif 000008
【図７】
0003102917.tif 000009
【図８】
0003102917.tif 000010
【図９】
0003102917.tif 000011
【図１０】
0003102917.tif 000012
【図１１】
0003102917.tif 000013
【図１２】
0003102917.tif 000014